(57)【要約】【課題】  実弾に似せた外観を有しかつ弾丸を発射可能なエアガン類用先込め式カートリッジを提供する。【解決手段】  実弾に似せた外観を有し、筒状の本体１１先端部に弾丸を分離可能に保持し、後端部から先端部に到る圧縮気の通路を有するエアガン類カートリッジについて、本体１１を貫通して先端部に達する長さを有し、かつ後端部にて本体１１に固定され、それ自体が圧縮機の通路１４となるインナーシャフト１２と、先端部にて本体１１とインナーシャフト１２との間に前後方向へ摺動可能に設けられ、１発の弾丸２０を先込め式に保持可能な弾丸保持部材２２と、を有して構成する。【選択図】          図１
2005265348.tif 000002
【特許請求の範囲】
【請求項１】
実弾に似せた外観を有し、筒状の本体先端部に弾丸を分離可能に保持し、後端部から先端部へ到る圧縮気の通路を有するエアガン類用カートリッジであって、本体を貫通して先端部に達する長さを有し、かつ後端部にて本体に固定され、それ自体が圧縮気の通路となるインナーシャフトと、先端部にて本体とインナーシャフトとの間に前後方向へ摺動可能に設けられ、１発の弾丸を先込め式に保持可能な弾丸保持部材と、を有して構成されていることを特徴とするエアガン類用先込め式カートリッジ。
【請求項２】
弾丸保持部材は、リボルバーの薬室内か或いはピストルの装弾部後方に設けた押し込み部によって、本体に対して後方へ摺動し、それによって弾丸を前方へ離脱させるように構成されている請求項１記載のエアガン類用先込め式カートリッジ。
【請求項３】
リボルバーの薬室内に設けた押し戻し部は、実弾が装填されるのを防止するためのインサートを兼ねている請求項２記載のエアガン類用先込め式カートリッジ。
【請求項４】
リボルバーにおいて、ハンマーが起こされると、インナーシャフト後端に接するノズルの前進により本体が前方へ移動し、弾丸を銃身後端部の装弾部にセットするように構成されている請求項１又は２記載のエアガン類用先込め式カートリッジ。
【請求項５】
弾丸保持部材は、筒状の部材を二つ割りにした２部品から成り、弾力性リングにより一体化して先端の挿入口を開閉可能とした構造を有している請求項１記載のエアガン類用先込め式カートリッジ。
【請求項６】
弾丸保持部材は、弾力性を有する樹脂によって、全体が単一の筒形に形成された構造を有している請求項１記載のエアガン類用先込め式カートリッジ。
【発明の詳細な説明】
【技術分野】
【０００１】
本発明は、実弾に似せた外観を有し、筒状の本体先端部に弾丸を分離可能に保持し、後端部から先端部へ到る圧縮気の通路を有するエアガン類用カートリッジに関するものである。
【背景技術】
【０００２】
エアソフトガンに類する玩具銃については、日本遊戯銃協同組合において遊戯銃自主規約が取り決められ、特にリボルバー型の場合、弾倉の手前に、ロックウエル硬さ試験方法（ＪＩＳ  Ｚ  ２２４５）により測定した硬さがＨＲＣ５５以上の鋼材で作製した、薬室の直径以上の大きさ及び１ｍｍ以上の肉厚のインサートを、取り外し困難な形態で取り付けること、回転弾倉（シリンダー）の内部にも、薬室の深さの１／３以上のインサートを容易に取り出せない構造で設け、実弾を装填することができないようにすること、などという厳しい約定が実施されている。この内、特に後者のインサートは、リボルバーの薬室内に邪魔物として設ける主旨であるため、実弾に似せたカートリッジすら使用できないということになっている。
【０００３】
このため、実弾に似せたカートリッジを使用すること自体が困難な課題となっている。なお、カートリッジの外観を有する先行関連発明等にも参考にすべきものはなく、例えば実開平７−３２３８９号はばねの弾性エネルギーにより弾丸を発射するもの、登録実用新案第３００５０４１号は火薬を爆発させて発生する火薬ガス圧を利用して弾頭を後退さ
せ、実弾のように弾頭が飛んでいって無くなったようにみせる玩具銃用の薬莢を提案しているが、エアガン類には適用することができない。なお、リボルバー型エアガン類のシリンダーは、実開平３−２１６９５号や特開２００１−３０４７９８号のもののように、各薬室に数発ずつ弾丸を装填する構造を持っており、実弾のカートリッジのようなものは使用することができない。
【０００４】
【特許文献１】実開平７−３２３８９号
【特許文献２】実開平３−２１６９５号
【特許文献３】登録実用新案第３００５０４１号
【特許文献４】特開２００１−３０４７９８号
【発明の開示】
【発明が解決しようとする課題】
【０００５】
本発明は前記の点に鑑みなされたものであり、その課題は、実弾に似せた外観を有しかつ弾丸を発射可能なエアガン類用先込め式カートリッジを提供することである。また本発明の他の課題は、リボルバー型に使用できるのは勿論、ピストル型のものにも使用できるエアガン類用先込め式カートリッジを提供することである。また本発明の他の課題は、実弾を使用不可とする遊戯銃自主規約に適合するエアガン類用先込め式カートリッジを提供することである。
【課題を解決するための手段】
【０００６】
前記の課題を解決するため本発明は、実弾に似せた外観を有し、筒状の本体先端部に弾丸を分離可能に保持し、後端部から先端部へ到る圧縮気の通路を有するエアガン類用カートリッジとして、本体を貫通して先端部に達する長さを有し、かつ後端部にて本体に固定され、それ自体が圧縮気の通路となるインナーシャフトと、先端部にて本体とインナーシャフトとの間に前後方向へ摺動可能に設けられ、１発の弾丸を先込め式に保持可能な弾丸保持部材と、を有して構成するという手段を講じたものである。
【０００７】
実弾のカートリッジは、火薬を封入したケース即ち薬莢と、その先端に固定した弾丸を有しているので、これらが実弾に似ているかどうかを決定する重要な要素であり、従って本発明のカートリッジも薬莢に相当する部分と弾丸に相当する部分を有している。薬莢に相当するのは筒状の本体である。しかし、弾丸は本体の先端部に離脱可能に保持されていれば良く、外観上弾丸に相当する部分である必要はない。
【０００８】
さらに本体には、後端部から先端部に到る圧縮気の通路が内部に備わっていなければならない。この圧縮気により先端方にセットされる弾丸を発射するものであるが、本発明では、発射段階までに銃身後端部の装弾部に弾丸が送り込まれるように、予め弾丸をカートリッジから分離可能にする構成を取る。この構成により、実弾のようにカートリッジ先端に保持されている従来の回転弾倉を有するエアガン類の弱点であった命中精度の悪さを著しく向上することが可能となる。
【０００９】
本体の内部には、圧縮気の通路を構成するインナーシャフトが配置され、これは後端部にて本体に一体に固定される。インナーシャフトの一つの役割は、弾丸の後側において、弾丸保持部材とともに弾丸をカートリッジ先端部に置くことにある。インナーシャフトはカートリッジ本体の内径よりも小径とし、それによってインナーシャフトと本体、内面間にはリング状の摺動空間が形成されることになる。このリング状の空間は、自主規約により薬室内に固定されている実弾装填防止のためのパイプ状インサートを受入可能なものとなる。
【００１０】
本体とインナーシャフトとの間の先端部には、弾丸保持部材が前後方向へ摺動可能に設けられている。弾丸保持部材は、発射すべき弾丸をカートリッジに先込め式にセットして保持しておく筒形のもので、先端は弾丸の先込めのための挿入口である。弾丸の保持が、弾丸保持部材と前記インナーシャフトとの間で行なわれることは既に触れた。弾丸保持部材は、弾丸の周囲を抱えるように持つ部材であり、前後方向へ摺動させることができ、後方摺動により、インナーシャフトで後側を支えられている弾丸を弾丸保持部材の挿入口から脱しさせ、カートリッジから分離することができる。弾丸をカートリッジから分離させる操作は、カートリッジをリボルバーのシリンダーに設けられている薬室内に装填する過程において行なわれる。またマガジンから供給されるピストルのカートリッジでは、カートリッジがマガジンから装弾部後方に配置される過程において行なわれる。
【００１１】
弾丸保持部材は、本体の先端部に配置される部材であり、本体が薬莢の外観を有するのと同じく、弾丸保持部材は弾丸の外観を有する。弾丸保持部材は、本体とインナーシャフトの間の摺動空間の内部にて摺動可能であり、例えばリボルバーの薬室に装填する際に後方へ押し込み部によって押し込まれ、完全に見えなくなると恰も弾丸が発射されてなくなったかのように見えるので、カートリッジ薬室等への装填時と、発射後排莢時とで姿を変えることになり、この点でも実弾に似ており、本発明の優位性を指摘できる点である。この外観の発射前後における外形の変化はピストル型の場合でも同様に得ることができる。
【００１２】
弾丸保持部材は、複数の部材を組み合わせて筒形にしたものでも良く、また単一の部材で全体が筒形に形成されているものでも良い。前者のものは、弾力性の殆どないプラスチック等を材料として弾丸保持部材を形成するのに適しており、弾丸保持のためにＯ−リングのような弾性手段により弾力的に先端の挿入口を拡げられる一体化構造を備えていることが望まれる。後者のものは弾力性のある樹脂材料により弾丸保持部材を形成するのに適しており、先端の挿入口を弾力的に押し拡げられるため他の部材は必要とされない。
【００１３】
本体内に押し込まれた弾丸保持部材を、新たな弾丸をセットするために本体先端部へ戻すには、本体を下へ向け、振って自重で落下させる方法が取られる。他にも、本体とインナーシャフトとの間の空間に軸を差し込んで押し出すとか、或いは気体圧力を利用してピストンのように押し出すというような方法も当然取り得る手段である。後の方法は、本体の後端に穴を開けることで実施することができる。
【００１４】
なお、本発明のカートリッジ１個を使用して発射可能な弾丸の数は１発であるが、これは実弾と一致するので好ましいことと考えて良い。カートリッジをマガジンやシリンダーに装填することによって１発の弾丸が本体から分離し、発射直前には装弾部に送り込まれ発射待機状態となる。このため従来のリボルバーのようにシリンダーから発射され、銃身に移行して銃口から発射され、飛び出すのと異なり、本発明のカートリッジによれば予め装填時に弾丸を本体から分離することができ、装弾部への送り込みが可能となり、銃身への移行により命中精度が乱れるおそれがない。
【発明の効果】
【００１５】
本発明は以上の如く構成されかつ作用するものであるから、実弾に似せた外観を有し、かつ弾丸を発射可能なエアガン類用先込め式カートリッジを実現することができ、当該カートリッジは、リボルバー型に使用できるのみならず、ピストル型にも使用することができ、本体と弾丸保持部材が摺動関係にあり、装填することにより、弾丸に似た弾丸保持部材がカートリッジ装填の前後で姿を消し見えなくなるので恰も発射されてなくなったかのように見え、リアル感が優れており、しかも実弾を使用不可とする遊戯銃自主規約に適合するという効果を奏する。
【発明を実施するための最良の形態】
【００１６】
以下図示の実施形態を参照して本発明をより詳細に説明する。図１は本発明に係るエアガン類用先込め式カートリッジの１例を示す分解状態と組立状態の断面図であり、カートリッジのケースに似せた円筒状の本体１１と、本体１１の内部に配置され、内部が圧縮気通路１４となっているインナーシャフト１２と、後端部にて本体１１とインナーシャフト１２とを一体に結合しているキャップ１３とから成る部分が、カートリッジの薬莢に相当する外観を形成している。
【００１７】
本体１１は、リボルバー型銃のシリンダー内に設けられている薬室３２に装填し得る大きさ、形状を有し、またインナーシャフト１２は、上記薬室３２の中に自主規約実施のために設けられているパイプ状の押し込み部３３の中に挿入可能な外径と、本体１１よりも先端が突出するやや長目の寸法を有する。インナーシャフト１２の先端部外面は、外径のやや肥大化した係止部１５になっており、後述する弾丸保持部材２２の前方へ抜け出しを防止する部分となっている。またインナーシャフト先端１６は、ＢＢ弾と通称されている球形の弾丸２０を後側から支える部分となっており、圧縮気通路１４の先端開口部分はノズルを構成する。
【００１８】
インナーシャフト１２は後端部１７にてキャップ１３の嵌合口１８に嵌め合わせ、また本体１１はキャップ１３の段状の外側部１９に嵌め合わせ、本体１１とインナーシャフト１２との間に一定の摺動空間２１が形成されている。摺動空間２１は弾丸保持部材２２がその中を摺動可能であり、かつシリンダーの薬室３２に設けられているパイプ状の押し込み部３３を受け入れるスペースを構成している。弾丸保持部材２２は半割りの２部品２３、２３から成り、Ｏ−リングで示された弾性リング２５を外側の溝２５ａ、２５ｂに嵌めて一体物とされている、全体として筒状の部材であり、筒内は、インナーシャフト１２の外面に嵌挿して摺動可能な後方の摺動部２６ａと、１発の弾丸２０を受け入れ可能な前方の受入部２６ｂの２部分を有する。２６ｃは弾丸抜け止め用突部を示す。
【００１９】
単一の部材から成る筒状の弾丸保持部材２８の例が、図１の上記２部材から成る弾丸保持部材２２の例と並列に示してある。筒状の弾丸保持部材２８は、インナーシャフトをスライド可能な内径を有する後方の摺動部２９ａを有しており、また前方の弾丸受け入れのための受入部２９ｂを有している。２９ｃは弾丸抜け止め突部であり、弾力性によって開閉し、弾丸２０を通過させる。筒状の弾丸保持部材２８はゴム等弾力性を有する樹脂によって形成されている。
【００２０】
３０は、エアガン類の一つとしてのリボルバーを示す。そのシリンダー３１の薬室３２に設けられているパイプ状押し込み部３３は、実弾が装填されるのを防止するために、容易に取り出せない構造で取り付けられている。例示の押し込み部３３は薬室３２の前半部以上を占める長さを有し、かつ弾丸２０を通過させる内径を有している弾丸通路３４を構成している。弾丸通路３４の前端には弾丸２０がエアガン類の操作と無関係に抜け出してしまうのを防止する、やや小径の抜け止めリング３５を設けており、この止めリング３５は、弾力性により変形して弾丸２０を通過させることができる内径を有している。
【００２１】
リボルバー本体にシリンダー３１をセットした状態において、その薬室３２の一つは銃身３６と同一軸線上かつ後方に位置する（図６参照）。銃身３６の後端部内側は、装弾部３７となっており、発射準備完了した弾丸２０を保持するとともに、弾丸２０に対して揚力を発生する上向きの回転を与えるための弾力性のある突起から成るホップアップ部３８が設けられている。３９は圧縮気の噴出ノズルであり、銃身３６と同一軸線上かつ後方のリボルバー本体に設けられており、引き金４１を引く操作に伴って前進及び後退可能である。図示していないが、噴出ノズル３９は圧力源に接続され、引き金操作に伴う通路の開閉により所要圧力の気体を噴出する。４２はハンマーであり、引き金操作に連動するが発射機能とは関係していない。
【００２２】
このような構成を有する本発明では、シリンダー３１の薬室３２にカートリッジ１０を１発ずつ装填すると、弾丸保持部材２２が押し込み部３３に当たって後退し、保持していた弾丸２０を離脱させることになる（図３）。なお図３に例示してある弾丸保持部材２２は、２個の半割部品２３、２３がＯ−リング２５の弾力性により開いて、挿入口から弾丸２０が脱しつつある状況を示している。カートリッジ１０を薬室内に押し込んで行くと、押し込み部３３により弾丸保持部材２２が摺動空間２１を後方へ移動し（図４）、それに伴ってインナーシャフト１２に後側から支えられている弾丸２０が相対的に前進し、最終的には止めリング３５によって弾力的に固定、保持され、カートリッジ１０はシリンダー３１の薬室３２に装填された状態となる（図５）。
【００２３】
カートリッジ１０を装填したシリンダー３１をリボルバー本体３０にセットすると射撃可能な状態となる（図６）。そこで引き金４１を引くと、ノズル３９が前進し、それに押されるカートリッジ１０も前進することにより、弾丸２０が止めリング３５から押し出され、銃身後端部の装弾部３７に収まるとともに、ホップアップ部３８に接して停止する(図７)。このとき、ハンマー４２も連動するが、これは発射機能とは無関係の動作であ
る。引き金４１を引き切ると、圧縮気通路からの圧縮気がノズル３９よりインナーシャフト１４に噴出し、その先端に位置している装弾部３７の弾丸２０の後方に噴射されるの
で、弾丸２０は装弾部３７を脱し、ホップアップ部３８を経て回転を得ながら移動を開始し（図８）、銃口より発射される。
【００２４】
発射後シリンダー３１をスイングアウトし、薬室３２からカートリッジ１０を抜き取ると、弾丸保持部材２２は摺動空間２１の中に後退しており、カートリッジ１０は薬莢のみから成り、弾頭が飛んで行って無くなったかのように見える(図９)。使用後の本体１１に弾丸２０をセットするには、弾丸保持部材２２を本体１１の先端部より出す必要があり、例えば下に向けたり、振ったりすることにより出すことができる。しかし、軸や圧縮気により弾丸保持部材２２を機械的に押し出すことも可能であり、それらの作業のためには後端のキャップ１３に穴４３を開けておくことが望ましい（図１）。
【００２５】
既に触れたように、本発明の先込め式カートリッジは、ピストル型のエアガン類にも適用することができるので、その例を図１０、図１１によって説明する。ピストル６０の場合、弾丸２０を装填したカートリッジ５０をグリップ部内に装備するマガジン６１にセットする。このカートリッジ５０の構成は、図１０及び図１１に見られるように図１〜図９に示した実施例のものと基本的に同一であるので、基本的構成については図１の符号を援用する。但し、カートリッジ全体のプロポーションはリボルバー３０のそれと変えてお
り、このような変更は本発明の範囲で容易に為し得ることである。
【００２６】
一つの相違点を挙げるならば、それは装弾部後方の室６２に移動したカートリッジ５０を掛け止めるフック７１の存在である。このフック７１は圧縮噴射系統の７０のノズル７３にカートリッジ５０のキャップ１３を押し付けるように作用するばね７２の力を受けている。なお、カートリッジ５０はキャップ１３のフランジ部５１にてフック７１に掛け止められる。ホップアップ部３８その他についての構成は前述の例と同様で良いので符号を援用し詳細な説明を省略する。
【００２７】
ピストル型エアガン類の場合、スライド８０の操作により、カートリッジ５０がマガジン６１から装弾部後方の室６２に押し出され、スライド８０が復帰すると、カートリッジ５０は、装弾部６７の後端に設けられている押し込み部５３と弾丸保持部２２が接し、弾丸保持部２２が摺動空間２１に押し込まれ、フック７１がフランジ部５１を掛け止める状態になる。なお、押し込み部５３は実弾を装填できなくする役割も負っており、弾丸２０は装弾部６７にインナーシャフト１２の先端で送り込まれる。引き金が引かれると圧縮気噴射系統７０からの圧縮気により弾丸２０がホップアップ部３８を経て回転を得ながら移動を開始し（図１１）、銃口より発射される。
【００２８】
弾丸２０の発射動作に伴い、スライド８０がブローバックし、装弾部後方の室６２が露出状態となる。すると、弾丸保持部材２２が引込んでいる発射済みのカートリッジ５０は薬莢だけの外観となり、かつ下から押しばね６３によって供給される次弾に押し上げられるため、フック７１による掛止端を中心に回りながら排出されることになる。つまりブローバックによる排莢動作が自動的に行われる。
【図面の簡単な説明】
【００２９】
【図１】本発明に係るエアガン類用先込め式カートリッジであるリボルバー用カートリッジの１例を示す断面説明図。
【図２】シリンダーとカートリッジを示す破断説明図。
【図３】薬室にカートリッジを挿入する段階を示す説明図。
【図４】弾丸保持部材が押し込まれている段階を示す説明図。
【図５】カートリッジをシリンダーに装填し、弾丸が止めリングに保持されている段階を示す破断説明図。
【図６】シリンダーをリボルバー本体にセットした状態を示す破断説明図。
【図７】引き金を引き始めた状態を示す破断説明図。
【図８】引き金を引き切り弾丸が発射されつつある状態を示す破断説明図。
【図９】発射済カートリッジをシリンダーから取り出した状態を示す破断説明図。
【図１０】本発明の他の例であるピストル用カートリッジの状態を示す破断説明図。
【図１１】発射後排莢される状態を示す破断説明図。
【符号の説明】
【００３０】
１０、５０  カートリッジ
１１  本体
１２  インナーシャフト
１３  キャップ
１４  圧縮気通路
１５  係止部
１６  インナーシャフトの先端
２０  弾丸
２１  摺動空間
２２、２８  弾丸保持部材
２４  圧縮ばね
２５  リング
３０  リボルバー
３１  シリンダー
３２  薬室
３３、５３  押し込み部
３６  銃身
３８  ホップアップ部
３９、７３  ノズル
５１  フランジ
６１  マガジン
６２  室
【図１】
2005265348.tif 000003
【図２】
2005265348.tif 000004
【図３】
2005265348.tif 000005
【図４】
2005265348.tif 000006
【図５】
2005265348.tif 000007
【図６】
2005265348.tif 000008
【図７】
2005265348.tif 000009
【図８】
2005265348.tif 000010
【図９】
2005265348.tif 000011
【図１０】
2005265348.tif 000012
【図１１】
2005265348.tif 000013